(57)【要約】【課題】リンク毎のエネルギー消費量の分布から、各車両の偏差値に応じたエネルギー消費量を求める技術を提供する。【解決手段】ユーザ端末が、道路の各リンクを車両で走行した際のリンク毎のエネルギー消費量を検出して管理サーバに送信し、管理サーバが、複数の車両について検出したリンク毎のエネルギー消費量を消費量記憶部へ登録させ、複数の車両について検出したリンク毎のエネルギー消費量の分布を参照し、対象車両について検出したリンク毎のエネルギー消費量の偏差値を偏差値記憶部へ登録させ、目的地までのルートを対象車両で走行した場合のエネルギー消費量を予測する要求を受け、予測の要求を受けた場合に、ルートを構成する各リンクについて消費量記憶部に記憶されたエネルギー消費量の分布から、当該対象車両の偏差値に対応するエネルギー消費量を求めて積算することによりエネルギー消費量の予測値を求める。【選択図】図１４
2013213692.tif 000002
【特許請求の範囲】
【請求項１】
道路の各リンクを車両で走行した際のリンク毎のエネルギー消費量を検出する消費量検出部と、
複数の車両について検出した前記リンク毎のエネルギー消費量の分布を参照し、対象車両について検出した前記リンク毎のエネルギー消費量の偏差値を記憶する偏差値記憶部と、
目的地までのルートを構成する各リンクについて、前記エネルギー消費量の分布から、前記対象車両の前記偏差値に対応するエネルギー消費量を求めて積算することによりエネルギー消費量の予測値を求める予測部と、
を備えるエネルギー消費量管理システム。
【請求項２】
ネットワークを介して接続するユーザ端末と管理サーバとを備えるシステムであって、
ユーザ端末が、
道路の各リンクを車両で走行した際のリンク毎のエネルギー消費量を検出する消費量検出部と、
前記リンクを識別する識別情報及び当該リンクを走行した場合のエネルギー消費量を前記管理サーバに送信する消費量送信部と、を備え、
管理サーバが、
複数の車両について検出した前記リンク毎のエネルギー消費量を消費量記憶部へ登録させる消費量登録部と
複数の車両について検出した前記リンク毎のエネルギー消費量の分布を参照し、対象車両について検出した前記リンク毎のエネルギー消費量の偏差値を偏差値記憶部へ登録させる偏差値登録部と、
目的地までのルートを前記対象車両で走行した場合のエネルギー消費量を予測する要求を受ける要求受信部と、
前記予測の要求を受けた場合に、前記ルートを構成する各リンクについて前記消費量記憶部に記憶されたエネルギー消費量の分布から、当該対象車両の前記偏差値に対応するエネルギー消費量を求めて積算することによりエネルギー消費量の予測値を求める予測部と、
を備えるエネルギー消費量管理システム。
【請求項３】
前記消費量記憶部が、前記エネルギー消費量を天候又は時間帯を含む所定条件と対応つけて記憶する請求項１又は２に記載のエネルギー消費量管理システム。
【請求項４】
前記偏差値記憶部が、前記偏差値を道路の種別又は道路の勾配を含む道路情報と対応付けて記憶する請求項１から３の何れか１項に記載のエネルギー消費量管理システム。
【請求項５】
前記偏差値記憶部が、前記偏差値をユーザの識別情報と対応付けて記憶する請求項１から４の何れか１項に記載のエネルギー消費量管理システム。
【請求項６】
前記消費量記憶部が、前記リンク毎に前記エネルギー消費量の平均と標準偏差と対応付けて記憶する請求項１から５の何れか１項に記載のエネルギー消費量管理システム。
【請求項７】
前記偏差値に基づいてエネルギー消費量の状況を出力する出力制御部を備えた請求項１から６の何れか１項に記載のエネルギー消費量管理システム。
【請求項８】
前記リンクの組み合わせにより前記目的地までのルートを求める際、前記予測部による前記各リンクのエネルギー消費量の予測値の総計が最も少ない組み合わせを選択するルート探索部を備えた請求項１から７の何れか１項に記載のエネルギー消費量管理システム。
【請求項９】
道路の各リンクを車両で走行した際のリンク毎のエネルギー消費量を検出するステップと、
複数の車両について検出した前記リンク毎のエネルギー消費量の分布を参照し、対象車両について検出した前記リンク毎のエネルギー消費量の偏差値を記憶するステップと、
目的地までのルートを構成する各リンクについて、前記エネルギー消費量の分布から、前記対象車両の前記偏差値に対応するエネルギー消費量を求めて積算することによりエネルギー消費量の予測値を求めるステップと、
をコンピュータが実行するエネルギー消費量管理方法。
【請求項１０】
ネットワークを介して接続するユーザ端末と管理サーバが実行する方法であって、
ユーザ端末が、
道路の各リンクを車両で走行した際のリンク毎のエネルギー消費量を検出するステップと、
前記リンクを識別する識別情報及び当該リンクを走行した場合のエネルギー消費量を前記管理サーバに送信するステップと、を実行し、
管理サーバが、
複数の車両について検出した前記リンク毎のエネルギー消費量を消費量記憶部へ登録させるステップと
複数の車両について検出した前記リンク毎のエネルギー消費量の分布を参照し、対象車両について検出した前記リンク毎のエネルギー消費量の偏差値を偏差値記憶部へ登録させるステップと、
目的地までのルートを前記対象車両で走行した場合のエネルギー消費量を予測する要求を受けるステップと、
前記予測の要求を受けた場合に、前記ルートを構成する各リンクについて前記消費量記憶部に記憶されたエネルギー消費量の分布から、当該対象車両の前記偏差値に対応するエネルギー消費量を求めて積算することによりエネルギー消費量の予測値を求めるステップと、
を実行するエネルギー消費量管理方法。
【発明の詳細な説明】
【技術分野】
【０００１】
本発明は、エネルギー消費量を算出する技術に関する。
【背景技術】
【０００２】
車両が走行する際のエネルギー消費量を算出する方法としては、車両が走行した際の燃料消費量のデータを道路区間（リンク）毎にデータベースに登録しておき、出発地から目的地までに通る各リンクの燃料消費量を当該データベースから抽出して積算することで、目的地までの燃料消費量を算出する方法が知られている。
【先行技術文献】
【特許文献】
【０００３】
【特許文献１】特開２００７−１００６７１号公報
【特許文献２】特開２００９−３１０４６号公報
【特許文献３】特開２００６−３００５８号公報
【特許文献４】特開２００５−１７２５８２号公報
【発明の概要】
【発明が解決しようとする課題】
【０００４】
上述のデータベースは、車両が各リンクを実際に走行した際の燃料消費量を収集し、蓄積している。各リンクの燃料消費量は、エンジンのトルク特性や排気量、変速比など、車両の構成によって異なるため、例えば車種毎に燃料消費量を登録しておき、目的地までの燃料消費量を算出する場合には、同一車種のデータを索出して用いる。
【０００５】
このため、発売したばかりの車種や、生産台数の少ない車種については、データ（燃料消費量）のサンプル数が少なく、燃料消費量の算出が困難、或いは算出する燃料消費量の精度が低下してしまうという問題があった。
【０００６】
一方、車両がリンクを走行する際に、リンクの地形が消費エネルギーに与える影響を地形特徴量として求め、リンク毎に地形特徴量をデータベースに登録しておき、出発地から目的地までに通る各リンクの地形特徴量に当該車両の特性を示す係数を乗じて、当該車両により目的地まで走行した場合のエネルギー消費量を算出（予測）するシステムも提案されている。このように膨大なサンプリングが必要なリンク毎の情報として車種に依存しない地形特徴量を登録する構成としたことにより、発売したばかりの車種や生産台数の少ない車種であっても当該車種をモデル化した特性情報を作成すれば、車種毎にエネルギー消費量を算出できる。
【０００７】
しかし、実際のエネルギー消費量は、車種だけに依存するものではない。例えば、運転者の癖や、タイヤ、エンジンの経年劣化といった数値化が困難な要因については、前記車種の特性情報に考慮されておらず、エネルギー消費量の算出に反映されないので、正確なエネルギー消費量の算出が行えないという問題があった。
【０００８】
また、運転履歴による運転者個人の燃費傾向に基づいて燃料消費量を予測するシステムも提案されているが、車両の重量やエアコンの動作状態、記憶、運転者ＩＤなど、予測に用いるパラメータの数が多く、これらパラメータを検出するセンサや入力する手段が必要となり装置構成が複雑化すると共に、各パラメータを適切に数値化することが困難であるという問題があった。
【０００９】
本件は、リンク毎のエネルギー消費量の分布から、各車両の偏差値に応じたエネルギー消費量を求める技術を提供する。
【課題を解決するための手段】
【００１０】
本件の一観点によるエネルギー消費量管理システムは、
道路の各リンクを車両で走行した際のリンク毎のエネルギー消費量を検出する消費量検出部と、
複数の車両について検出した前記リンク毎のエネルギー消費量の分布を参照し、対象車両について検出した前記リンク毎のエネルギー消費量の偏差値を記憶する偏差値記憶部と、
目的地までのルートを構成する各リンクについて、前記エネルギー消費量の分布から、前記対象車両の前記偏差値に対応するエネルギー消費量を求めて積算することによりエネルギー消費量の予測値を求める予測部と、を備える。
【００１１】
また、本件の一観点によるエネルギー消費量管理システムは、
ネットワークを介して接続するユーザ端末と管理サーバとを備えるシステムであって、
ユーザ端末が、
道路の各リンクを車両で走行した際のリンク毎のエネルギー消費量を検出する消費量検出部と、
前記リンクを識別する識別情報及び当該リンクを走行した場合のエネルギー消費量を前記管理サーバに送信する消費量送信部と、を備え、
管理サーバが、
複数の車両について検出した前記リンク毎のエネルギー消費量を消費量記憶部へ登録させる消費量登録部と
複数の車両について検出した前記リンク毎のエネルギー消費量の分布を参照し、対象車両について検出した前記リンク毎のエネルギー消費量の偏差値を偏差値記憶部へ登録させる偏差値登録部と、
目的地までのルートを前記対象車両で走行した場合のエネルギー消費量を予測する要求を受ける要求受信部と、
前記予測の要求を受けた場合に、前記ルートを構成する各リンクについて前記消費量記憶部に記憶されたエネルギー消費量の分布から、当該対象車両の前記偏差値に対応するエネルギー消費量を求めて積算することによりエネルギー消費量の予測値を求める予測部と、を備える。
【００１２】
前記エネルギー消費量管理システムは、リンク毎のエネルギー消費量の分布から、各車両の偏差値に応じたエネルギー消費量を予測する。従って、エネルギー消費量を予測するための消費量記憶部を車種に依存しない共通のデータベースとすることができ、発売したばかりの車種や、生産台数の少ない車種についても精度良くエネルギー消費量を求めることができる。
【００１３】
前記消費量記憶部が、前記エネルギー消費量を天候又は時間帯を含む所定条件と対応つけて記憶しても良い。
【００１４】
前記偏差値記憶部が、前記偏差値を道路の種別又は道路の勾配を含む道路情報と対応付けて記憶しても良い。
【００１５】
前記偏差値記憶部が、前記偏差値をユーザの識別情報と対応付けて記憶しても良い。
【００１６】
前記消費量記憶部が、前記リンク毎に前記エネルギー消費量の平均と標準偏差と対応付けて記憶しても良い。
【００１７】
前記偏差値に基づいてエネルギー消費量の状況を表示する表示制御部を備えても良い。
【００１８】
前記リンクの組み合わせにより前記目的地までのルートを求める際、前記予測部による前記各リンクのエネルギー消費量の予測値の総計が最も少ない組み合わせを選択するルート探索部を備えても良い。
【００１９】
本件の一観点によるエネルギー消費量管理方法は、
道路の各リンクを車両で走行した際のリンク毎のエネルギー消費量を検出するステップと、
複数の車両について検出した前記リンク毎のエネルギー消費量の分布を参照し、対象車両について検出した前記リンク毎のエネルギー消費量の偏差値を記憶するステップと、
目的地までのルートを構成する各リンクについて、前記エネルギー消費量の分布から、前記対象車両の前記偏差値に対応するエネルギー消費量を求めて積算することによりエネルギー消費量の予測値を求めるステップと、
をコンピュータが実行する。
【００２０】
本件の一観点によるエネルギー消費量管理方法は、
ネットワークを介して接続するユーザ端末と管理サーバが実行する方法であって、
ユーザ端末が、
道路の各リンクを車両で走行した際のリンク毎のエネルギー消費量を検出するステップと、
前記リンクを識別する識別情報及び当該リンクを走行した場合のエネルギー消費量を前記管理サーバに送信するステップと、を実行し、
管理サーバが、
複数の車両について検出した前記リンク毎のエネルギー消費量を消費量記憶部へ登録させるステップと
複数の車両について検出した前記リンク毎のエネルギー消費量の分布を参照し、対象車両について検出した前記リンク毎のエネルギー消費量の偏差値を偏差値記憶部へ登録させるステップと、
目的地までのルートを前記対象車両で走行した場合のエネルギー消費量を予測する要求を受けるステップと、
前記予測の要求を受けた場合に、前記ルートを構成する各リンクについて前記消費量記憶部に記憶されたエネルギー消費量の分布から、当該対象車両の前記偏差値に対応するエネルギー消費量を求めて積算することによりエネルギー消費量の予測値を求めるステップと、
を実行する。
【００２１】
前記エネルギー消費量管理方法は、リンク毎のエネルギー消費量の分布から、各車両の偏差値に応じたエネルギー消費量を予測する。従って、エネルギー消費量を予測するための消費量記憶部を車種に依存しない共通のデータベースとすることができ、発売したばかりの車種や、生産台数の少ない車種についても精度良くエネルギー消費量を求めることができる。
【００２２】
また、本発明は、上記エネルギー消費量管理方法をコンピュータに実行させるためのエネルギー消費量管理プログラムであっても良い。更に、本発明は、このエネルギー消費量管理プログラムをコンピュータが読み取り可能に記録した記録媒体であっても良い。コンピュータに、この記録媒体のエネルギー消費量管理プログラムを読み込ませて実行させることにより、その機能を提供させることができる。
【００２３】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００２４】
また、コンピュータに固定された記録媒体としてハードディスクやＲＯＭ（リードオンリーメモリ）等がある。
【発明の効果】
【００２５】
本発明によれば、リンク毎のエネルギー消費量の分布から、各車両の偏差値に応じたエネルギー消費量を求める技術を提供することが可能になる。
【図面の簡単な説明】
【００２６】
【図１】エネルギー消費量管理システムの構成を示す図
【図２】管理サーバ１のハードウェア構成を示すブロック図
【図３】エネルギー消費量データベースの構成例を示す図
【図４】エネルギー消費量データベースの構成例を示す図
【図５】偏差値データベースの構成例を示す図
【図６】ＡＶＮ一体機の構成を示すブロック図
【図７】ナビゲーション部が利用する地図データの構成例を示す図
【図８】ユーザ端末からエネルギー消費量を管理サーバへ送信する処理の説明図
【図９】管理サーバがエネルギー消費量の偏差値を求める処理の説明図
【図１０】ユーザ端末が管理サーバにエネルギー消費量の予測を要求する処理の説明図
【図１１】管理サーバがエネルギー消費量を予測する処理の説明図
【図１２】偏差値平均を求める処理の説明図
【図１３】目的地までの予想エネルギー消費量の表示例を示す図
【図１４】車種の異なる車両のエネルギー消費量を共通のエネルギー消費量データベースから求める処理の説明図
【図１５】各リンクにおいて、天候及び時間帯毎にエネルギー消費量の分布を求めるようにした例を示す図
【図１６】ユーザ端末から受信したエネルギー消費量を天候及び時間帯と対応付けて記憶する処理の説明図
【図１７】天候及び時間帯毎のエネルギー消費量の分布に基づいて予測エネルギー消費量を求める処理の説明図
【図１８】天候及び時間帯毎のエネルギー消費量の分布に基づいて予測エネルギー消費量を求める処理の説明図
【図１９】道路情報と対応する偏差値を用いて予測エネルギー消費量を求める処理の説明図
【図２０】道路情報と共に予測要求を行う処理の説明図
【図２１】車両ＩＤ及びユーザＩＤと偏差値とを対応付けて記憶した例を示す図
【図２２】エネルギー消費量管理システムの構成を示す図
【図２３】偏差値に基づいてエネルギー消費量の状況を表示する処理の説明図
【図２４】エネルギー消費量の状況の表示例を示す図
【図２５】各リンクの予測エネルギー消費量に基づいてエコルートを探索する処理の説明図
【図２６】リンクの予測エネルギー消費量に基づいてエコルートを探索する処理の説明図
【図２７】ユーザ端末がローカルに偏差値を算出する処理の説明図
【図２８】ユーザ端末がローカルに予測エネルギー消費量を求める処理の説明図
【発明を実施するための形態】
【００２７】
以下、図面を参照して、実施形態に係るエネルギー消費量算出ステムについて説明する。以下の実施例の構成は例示であり、実施形態に係るは実施例の構成に限定されない。
【実施例１】
【００２８】
〈全体構成〉
図１は本発明のエネルギー消費量管理システムの構成を示す図である。本実施形態のエネルギー消費量管理システム１０は、ネットワークを介して接続する管理サーバ１やユーザ端末２を備え、道路を走行した車両のエネルギー消費量をリンク毎に蓄積してデータベース化すると共に、各車両のエネルギー消費量に基づいて、データベースに蓄積したエネルギー消費量から各車両の偏差値を求める。
【００２９】
そして、ユーザによって指定されたルートを前記車両で走行した場合のエネルギー消費量を予測する要求を受けると、当該ルートを構成する各リンクについてデータベースに記憶されたエネルギー消費量の分布から、当該車両の前記偏差値の平均と対応するエネルギー消費量を求めて積算することによりエネルギー消費量の予測値を求める。
【００３０】
なお、本実施形態において、道路のリンクとは、道路中の交差点等をノードとし、各ノードを繋ぐ道路の区間である。リンクは、デジタル道路地図等に用いられる全国的に統一されたものであることが望ましいが、必ずしも道路地図で示されるリンクに限定されるものではない。本実施形態のリンクは、道路を任意或いは所定の単位で区分した所定の区間であれば良い。
【００３１】
図２は、管理サーバ１のハードウェア構成を示すブロック図である。図２に示すように、管理サーバ１は、本体内にＣＰＵ（central processing unit）やメインメモリ等よりなる演算処理部１２、演算処理の為のデータやソフトウェアを記憶した記憶部（ハードディスク）１３、データの入出力を行う入出力インタフェイス１４、通信制御部（ＣＣＵ：Communication Control Unit）１５等を備えたコンピュータである。
【００３２】
該入出力インタフェイス１４には、キーボードやポインティングデバイスといった操作部、メモリカードやＤＶＤといった記憶媒体の読取装置読み書き装置、そして表示装置やプリンタ等の出力デバイスが適宜接続される。
【００３３】
ＣＣＵ１５は、ネットワークを介した他のコンピュータとの通信を制御する。
【００３４】
記憶部１３には、オペレーティングシステム（ＯＳ）やアプリケーションソフト（エネルギー消費量管理プログラム等）がインストールされている。また、記憶部１３は、エネルギー消費量データベース１３２を格納する消費量記憶部や、偏差値データベース１３３を格納する偏差値記憶部としても機能する。記憶部１３は、地図データ１３１を記憶しても良い。
【００３５】
演算処理部１２は、ＣＰＵやメモリー、チップセット等を備えた所謂システムボードであり、前記ＯＳやアプリケーションプログラムを記憶部１３から適宜読み出して実行し、入出力インタフェイス１４やＣＣＵ１５から入力された情報、及び記憶部１３から読み出した情報を演算処理することにより、消費量受信部１２１と消費量登録部１２２と、偏差値算出部１２３と、偏差値返信部１２４と、要求受信部１２５と、予測部１２６と、出力制御部１２７とを備える。
【００３６】
消費量受信部１２１は、車両が走行した道路の各リンクを識別する識別情報及び当該リンクを走行した場合のエネルギー消費量をユーザ端末２から受信する。
【００３７】
消費量登録部１２２は、車両から受信したエネルギー消費量を前記リンク毎に記憶部１３へ登録させる。
【００３８】
偏差値算出部１２３は、複数の車両から受信したエネルギー消費量に基づいて当該車両のエネルギー消費量の偏差値を求める。
【００３９】
偏差値返信部１２４は、前記偏差値を前記車両に返信する。
【００４０】
要求受信部１２５は、ユーザによって指定されたルートを前記車両で走行した場合のエネルギー消費量を予測する要求を受ける。
【００４１】
予測部１２６は、前記予測の要求を受けた場合に、前記ルートを構成する各リンクについて前記記憶装置に記憶されたエネルギー消費量の分布から、当該車両の前記偏差値の平均と対応するエネルギー消費量を求めて積算することによりエネルギー消費量の予測値を求める。
【００４２】
出力制御部１２７は、偏差値に基づいてエネルギー消費量の状況を示す情報を出力する。例えば、車両から受信したエネルギー消費率の偏差値が、当該車両の偏差値平均より低い場合に、エネルギー消費が少ない状況である、即ちエコ走行を行っていることを示す情報を出力する。一方、車両から受信したエネルギー消費率の偏差値が、当該車両の偏差値平均より高い場合に、エネルギー消費が高い状況である、即ちエコ走行を行っていないことを示す情報を出力する。ここで、出力とは、表示出力、印刷出力の他、ユーザ端末２等の他の装置への送信、記憶媒体への書き込みも含む。
【００４３】
図３，図４はエネルギー消費量データベースの構成例を示す図、図５は偏差値データベースの構成例を示す図である。
【００４４】
図３に示すように、エネルギー消費量データベースは、リンクＩＤ毎にエネルギー消費量を対応付けて記憶する。また、エネルギー消費量データベースは、エネルギー消費量の他、車両ＩＤや、走行日時、時間帯、曜日、天候、走行速度等の情報をリンクＩＤと対応付けて記憶しても良い。
【００４５】
リンクＩＤは、リンクを一意に識別する識別情報であり、例えば、リンクの起点となるノードの番号とリンクの終点となるノードの番号である。リンクＩＤは、起終点ノードの番号に限らず、各ノードに一意に割り当てられた番号や、リンクの起終点の位置情報等であっても良い。
【００４６】
エネルギー消費量は、対応するリンクＩＤによって特定されるリンクを走行した際に車両が消費したエネルギーの量である。図３の例では、エネルギー消費量として、車両のエンジンが消費した燃料の体積［ｍＬ］、即ち燃料消費量を用いた。なお、図３では、燃料の体積の単位をミリリットル［ｍＬ］（立法センチメートル［ｃｍ３］）で示したが、これに限らずまた、エネルギー消費量は、リンク長を燃料消費量で除した燃料消費率［ｋｍ／Ｌ］であっても良い。更にエネルギー消費量は、仕事量［Ｊ］や、仕事率［Ｗ］で表しても良い。
【００４７】
車両ＩＤは、車両を一意に識別する識別情報である。車両ＩＤは、車両を識別できる情報であれば良く、エネルギー消費量を管理サーバ１に送信するユーザ端末２が車両に固設
された車載機である場合には、ユーザ端末２のＭＡＣアドレス等、ユーザ端末２の識別情報であっても良い。
【００４８】
ユーザＩＤは、ユーザを一意に識別する識別情報である。走行日時は、対応するリンクＩＤによって特定されるリンクを走行した日時、即ちエネルギー消費量を取得した日時である。
【００４９】
時間帯は、対応するリンクＩＤによって特定されるリンクを走行した時間帯、例えば、１時間毎や、朝（７:００〜１０：００）、昼（１０:００〜１６：００）、夕（１６:０
０〜１９：００）など、所定の時間帯のうち、リンクを走行した時間帯を示す情報である。
【００５０】
曜日は、対応するリンクＩＤによって特定されるリンクを走行した曜日を示す情報である。天候は、対応するリンクＩＤによって特定されるリンクを走行した際の天候を示す情報である。
【００５１】
走行速度は、対応するリンクＩＤによって特定されるリンクを走行した際の速度を示す情報であり、最高速度、平均速度、最低速度などである。走行速度は、例えばリンク長をリンクの通過にかかった時間で除すことにより求められる。
【００５２】
本実施形態のエネルギー消費量データベースは、リンク別に各車両の燃料消費量を蓄積することにより、図４に示すようにリンク別の頻度分布を作成する。この際、燃料消費量を車種で区別せず、全車種共通のデータベースとしている。
【００５３】
管理サーバ１は、車両からエネルギー消費量を受信した場合に、エネルギー消費量データベースに蓄積したエネルギー消費量を母集団として、車両から受信したエネルギー消費量の偏差値をリンク毎に算出し、偏差値データベースに蓄積する。また、管理サーバ１は、偏差値データベースに蓄積した過去所定回数のエネルギー消費量の平均を求めて保持する。
【００５４】
図５は偏差値データベースの構成例を示す図である。図５に示すように、偏差値データベースは、車両ＩＤ毎に所定回数の偏差値を対応付けて記憶する。管理サーバ１は、新たに求めた偏差値を順に記憶して行き、所定数を超えた場合に、古いものから順に消去する。
【００５５】
なお、偏差値データベースは、図５の構成に限らず、車両ＩＤ毎に偏差値の総計とサンプル数とを記憶する構成でも良い。新たに偏差値を求めた場合には、総計に加え、加えた偏差値の数だけサンプル数をカウントアップする。そして、管理サーバ１は、偏差値の総計をサンプル数で除すことで、偏差値平均を求める。
【００５６】
次にユーザ端末２の一形態である車載用オーディオ・ビジュアル・ナビゲーション一体機（以降、ＡＶＮ一体機と称する）について説明する。
【００５７】
図６は、本実施形態のＡＶＮ一体機の構成を示すブロック図である。
【００５８】
１０１は、ＡＶＮ一体機の各部、或いは接続された外部機器からの信号、また使用者の操作に基づく各操作部からの操作指示信号等を受け、それら信号に基づきＡＶＮ一体機の各部、或いは外部機器を統括的に制御する制御部で、例えばマイクロコンピュータ（マイコン）により構成され、ＲＯＭ等のメモリーに記憶されたプログラムに従い動作する。
【００５９】
本実施形態の制御部１０１は、プログラムに従って、消費量検出部や、消費量送信部、偏差値受信部、予測要求部、予測結果受信部としても機能する。
【００６０】
制御部１０１は、消費量検出部の機能として、道路を走行した車両のエネルギー消費量を検出する。例えば、ナビゲーション部１０５から、自車両が走行するリンクのリンクＩＤや起終点の情報を取得し、当該リンクの起点から終点へ走行する際にエンジンへ供給した燃料の量、即ちエネルギー消費量を示す情報をＥＣＵから受信する。
【００６１】
制御部１０１は、消費量送信部の機能として、自車両の車両ＩＤと、自車両が走行した各リンクのリンクＩＤと、ＥＣＵから取得した各リンクのエネルギー消費量とを対応付け、通信部１１７を介して管理サーバ１へ送信する。
【００６２】
制御部１０１は、予測要求部の機能として、ユーザによって指定されたルートを示す情報及び当該ルートを自車両で走行した場合のエネルギー消費量の予測を要求する情報を通信部１１７を介して管理サーバ１へ送信する。
【００６３】
また、制御部１０１は、予測結果受信部の機能として、予測結果としてのエネルギー消費量を管理サーバ１から受信し、表示部１１３に表示させる。
【００６４】
放送受信部１０２は、同調回路、復調・復号回路等により構成され、アンテナにより受信された放送波から、特定の周波数の放送波を選択受信し、復調して当該放送の音声信号および、画像信号（テレビ放送の場合）を出力する。そして、放送受信部１０２は制御部１０１からの制御信号により、そのオン／オフ、受信周波数等の各種動作が制御される。ディスク再生部１０３は、光学ピックアップ、ピックアップ・ディスク駆動機構、ピックアップ・ディスク駆動機構の制御回路、読取信号の復号回路等により構成され、ディスクに記憶されているデータをピックアップにより読込み、読込んだデータに基づく音声信号、画像信号（例えばDVDやBD（Blu-ray Disc）の場合）の出力を行う。そして、ディスク再生部１０３は制御部１０１からの制御信号により、そのオン／オフ、読込み位置等の各種動作が制御される。
【００６５】
ハードディスク（ＨＤ）再生部１０４は、ＨＤドライブ、読取信号号の復号回路等により構成され、磁気記録媒体であるハードディスクから、MP3ファイル等の音楽データや、JPEGファイル等の画像データ、ナビゲーション用の地図データ等、所望のデータを読み出
して復号化し、画像信号、音声信号、文字信号として出力する。そして、ＨＤ再生部１０４は制御部１０１からの制御信号により、そのオン／オフ、読み出すデータ等の各種動作が制御される。
【００６６】
ナビゲーション部１０５は、ナビゲーションの為に利用される地図データを記憶するハードディスク（ＨＤ）、各種演算処理を行うＣＰＵ、各種処理のためにデータを記憶するＲＡＭ等のメモリー等から構成される。ナビゲーション部１０５は、地図上に自車位置や目的地までの経路を表示したり、交差点等で音声等により右左折等の進行方向案内を行い、また後述するＶＩＣＳ情報受信部１０６から交通情報、ＧＰＳ情報受信部１０７から自車位置情報を入手して表示したりして、目的地までの経路案内を行う。ナビゲーション部１０５は、制御部１０１からの制御信号に従って、そのオン／オフ、各種動作が制御される。
【００６７】
ＶＩＣＳ情報受信部１０６は、交通情報通信システム（ＶＩＣＳ（登録商標））に係る交通情報を受信し、受信した交通情報を出力する交通情報通信システムからのデータを受信する受信機（ＦＭ受信機，電波ビーコン受信機，光ビーコン受信機）、受信したデータを復号する復号回路等から構成される。ＧＰＳ情報受信部１０７は、ＧＰＳ（登録商標）
衛星からのＧＰＳ信号を受信するＧＰＳ信号受信回路、受信したＧＰＳ信号に基づき自車位置を算出する演算部から構成され、ＧＰＳ信号に基づき自車位置を検出し、検出した現在地情報を出力する。
【００６８】
分配回路１０８は、リレーあるいはスイッチングトランジスタ等の電子回路で構成されたスイッチ群で構成され、制御部１０１の制御信号により、出力することが指定された各種ソース（ディスク再生部１０３、放送受信部１０２、ＨＤ再生部１０４及びナビゲーション部１０５）の音声信号と画像信号を音声調整回路１１０及び画像調整回路１０９に出力する。画像調整回路１０９は、画像データを記憶するメモリー、画像データを演算処理するデジタルシグナルプロセサ等の演算回路等により構成され、制御部１０１の制御信号により入力された画像信号に対し、輝度や色調、コントラストなどを調整し、調整した各画像信号を出力する。
【００６９】
音声調整回路１１０は、音声データを記憶するメモリー、画像データを演算処理するデジタルシグナルプロセサ等の演算回路、トランジスタ・抵抗・コンデンサ・コイル等により構成される増幅・減衰回路や共振回路等により構成され、制御部１０１の制御信号により、入力された音声信号に対し、音量、音声を調整し、調整した音声信号を出力する。スピーカ１１１は、音声調整回路１１０により入力された音声信号を、音声出力する。
【００７０】
画像出力部１１２は、画像調整部１０９から入力された画像信号と、制御部１０１から表示部に表示させる表示画像信号とを入力して画像合成等の処理を施し、当該処理を施した画像信号に基づき表示部１１３を駆動する。画像出力部１１２は、例えば、演算処理により画像処理を行なう画像用に特化された演算処理回路である画像ASIC、画像処理・出力用に画像データを記憶するビデオメモリ、画像出力用ビデオメモリに記憶された画像データに基づき表示部を駆動する画像駆動回路等で構成される。表示部１１３は、例えば液晶ディスプレイ、有機ＥＬディスプレイ、プラズマディスプレイ、冷陰極フラットパネルディスプレイ等で構成され、画像出力部１１２により入力された画像信号に基づき画像を表示する。
【００７１】
操作部１１４は、例えばタッチパネルや、押釦スイッチ、回転操作スイッチ、ジョイスティック等により構成され、装置の使用者が各種操作を行う。メモリー（記憶媒体）１１５は、例えばＨＤＤ（Hard Disk Drive）や、書換え可能なフラッシュメモリ等により構
成され、各種データや制御プログラムを記憶する。遠隔操作部１１６は、自動車にインストルメントパネル等に設置されたＡＶＮ一体機本体から離れた場所、例えば運転席と助手席間のひじ掛け付近や、ステアリングホイールに設置され、操作部の回転操作、傾動操作、押圧操作を検出して、使用者による入力操作の操作状態を出力する。尚、このような遠隔操作部１１６は、回転操作量・方向に応じた信号を出力するロータリエンコーダ、感圧センサにより構成され傾動操作方向に応じた信号を出力するジョイスティック等の傾動センサ、押圧操作によりオンオフ状態が変化する押圧スイッチにより構成される。
【００７２】
通信部１１７は、他の装置との通信を行う通信ユニットであり、例えば、無線ＬＡＮやＷｉＭＡＸ(Worldwide Interoperability for Microwave Access)アクセス網、携帯電話
回線を介して通信を行う。
【００７３】
図７は、ナビゲーション部１０５が利用する地図データの構成例を示す図である。図７に示すように、地図データは、リンクＩＤ、起点位置、終点位置を有する。また、地図データは、道路種別、リンク長、勾配を有しても良い。ここで、起点位置はリンクの起点の位置情報、終点位置はリンクの終点の位置情報である。道路種別は、高速道路、自動車専用道路、一般道など、道路の種別を示す情報である。リンク長は、リンクの起点から終点までの道のり、即ち起点から終点までの走行距離を示す情報である。勾配は、上り、又は
下りの程度を示す情報である。
【００７４】
ナビゲーション部１０５は、ＧＰＳ情報受信部１０７で受信したＧＰＳ信号に基づいて自車位置を算出し、地図データを参照して自車両が位置するリンクの情報を取得する。また、ユーザが目的地を入力した場合、ナビゲーション部１０５は、自車位置から目的地までのルートを地図データから検索する。例えば、ナビゲーション部１０５は、地図データを参照し、自車位置から目的地までのリンクの組み合わせのうち、走行距離が最短となるリンクの組み合わせをルートとして索出する。
【００７５】
〈エネルギー消費量の予測方法〉
次に、本実施形態のエネルギー消費量管理システムが実行するエネルギー消費量の予測方法について説明する。
【００７６】
図８は、ユーザ端末２からエネルギー消費量を管理サーバへ送信する処理の説明図、図９は管理サーバ１がユーザ端末２からエネルギー消費量を受信してエネルギー消費量を蓄積し、当該エネルギー消費量の偏差値を求める処理の説明図、図１０はユーザ端末２が管理サーバ１にエネルギー消費量の予測を要求する処理の説明図、図１１は管理サーバ１がエネルギー消費量を予測する処理の説明図である。
【００７７】
電源スイッチをＯＮとする操作等により、ユーザ端末２への電力供給が開始されると、ユーザ端末２の制御部１０１は、図８の処理を開始し、電源スイッチをＯＦＦとする操作等により、エンジンを停止させるまで図８の処理を繰り返し実行する。図８の処理を開始すると、制御部１０１は、ＥＣＵから燃料の供給量、即ちエネルギー消費量を取得する（ステップＳ１１０）。
【００７８】
制御部１０１は、ナビゲーション部１０５により位置情報を求め、自車がリンクの起点又は終点となるノードに達したか否かを判定する(ステップＳ１２０)。制御部１０１は、ナビゲーション部１０５から取得した自車の位置情報を地図データのリンクの起点位置又は終点位置と比較して一致した場合、例えば起点又は終点の位置情報と自車の位置情報との差が所定範囲内となった場合に、自車がノードに達したと判定する（ステップＳ１２０，Ｙｅｓ）。一方、ナビゲーション部１０５から取得した自車の位置情報と、地図データのリンクの起点位置又は終点位置とが一致しなかった場合、制御部１０１は、自車がノードに達していないと判定し（ステップＳ１２０，Ｎｏ）、図８の処理を終了する。
【００７９】
ノードに達したと判定した場合、制御部１０１は、当該ノードを終点とし、一つ前に通過したノードを起点とするリンク、即ち当該ノードまで自車が走行したリンクのリンクＩＤを地図データから抽出する（ステップＳ１３０）。また、制御部１０１は、当該リンクの起点となるノードに達したと判定してから、当該リンクの終点となるノードに達したと判定するまでに取得したエネルギー消費量を積算して当該リンクを走行した際のエネルギー消費量を算出する（ステップＳ１４０）。
【００８０】
そして、制御部１０１は、自車の車両ＩＤと、ステップＳ１３０で取得したリンクＩＤと、ステップＳ１４０で算出したエネルギー消費量とを対応付けて管理サーバ１に送信する（ステップＳ１５０）。
【００８１】
なお、図８では、リンク毎にエネルギー消費量を管理サーバ１に送信する例を示したが、これに限らず、所定数のリンクのエネルギー消費量をまとめて管理サーバ１に送信する構成であっても良い。また、管理サーバ１への送信は、ネットワークを介した通信に限らず、記憶媒体を介して管理サーバ１へエネルギー消費量を送る構成でも良い。例えば、ユーザ端末２が、算出した各リンクのエネルギー消費量をメモリカードに記憶させ、管理サーバ１が、このメモリカードからエネルギー消費量を読み出す構成であっても良い。
【００８２】
また、ステップＳ１１０では、エネルギー消費量をＥＣＵから逐次取得するように示したが、これに限らず、図８の処理と並行してエネルギー消費量を時刻や位置情報等のインデックスと共にメモリーに蓄積しておき、ステップＳ１４０でリンクの起点から終点に達するまでのエネルギー消費量を時刻や位置情報等のインデックスに基づいてメモリーから抽出して積算する構成であっても良い。
【００８３】
一方、ユーザ端末２からエネルギー消費量を受信した管理サーバ１は、図９の処理を開始する（ステップＳ２００）。図９の処理において、管理サーバ１の演算処理部１２は、先ず受信したエネルギー消費量をリンクＩＤと対応付けてエネルギー消費量データベースに蓄積させる（ステップＳ２１０）。なお、当該リンクＩＤと対応するエネルギー消費量が所定数を超える場合には、受信したエネルギー消費量を新たに記憶し、古いエネルギー消費量を削除しても良い。また、エネルギー消費量を走行日時と共に記憶し、所定期間より古いエネルギー消費量を削除するようにしても良い。
【００８４】
次に演算処理部１２は、受信したエネルギー消費量の偏差値を求める（ステップＳ２２０）。例えば、演算処理部１２は、エネルギー消費量データベースから前記リンクＩＤと対応する全てのエネルギー消費量を抽出して母集団とし、この全てのエネルギー消費量の分布が正規分布に従うとみて、受信したエネルギー消費量Ｘｉの偏差値Ｔｉを次の式１で求める。即ち、受信したエネルギー消費量Ｘｉから算術平均μｘを減じた偏差を標準偏差σｘで除して１０倍し、５０を加算して偏差値Ｔｉを求める。
【数１】
2013213692.tif 000003
演算処理部１２は、算出した偏差値を前記車両ＩＤと対応付けて偏差値データベースに記憶させる（ステップＳ２３０）。
【００８５】
上記のように、本実施形態の管理サーバ１は、車種を問わずユーザ端末２から受信したエネルギー消費量を蓄積して全車種共通のエネルギー消費量データベースを作成する。これと共に、管理サーバ１は、各車両によるエネルギー消費量の偏差値を求めて、偏差値データベースに登録する。
【００８６】
次にこの全車種共通のエネルギー消費量データベースと各車両の偏差値を用い、目的地までのエネルギー消費量を予測する処理について説明する。
【００８７】
ユーザがメニューの選択等により予測処理を指示すると、ユーザ端末２の制御部１０１
は、図１０の処理を開始する。
【００８８】
先ず、ユーザによる操作部１１４の操作等により、制御部１０１は、目的地の入力を受ける（ステップＳ３１０）。
【００８９】
制御部１０１は、入力された目的地をナビゲーション部１０５へ送り、自車位置から目的地までのルート検索を行わせ、目的地までのルート即ち自車位置から目的地までのリンクの組み合わせを取得する（ステップＳ３２０）。複数の候補ルートがある場合、高速道路の使用の有無や渋滞の回避、経由地の指定など、ユーザの操作によりルートを選択しても良い。
【００９０】
制御部１０１は、ステップＳ３２０で取得したルートを構成するリンクの情報と、車両ＩＤと、エネルギー消費量の予測を要求する情報（以下予測要求とも称す）とを管理サーバ１に送信する（ステップＳ３３０）。
【００９１】
管理サーバ１の演算処理部１２は、ユーザ端末２から予測要求を受信すると、図１１に示す処理を開始する（ステップＳ４００）。
【００９２】
演算処理部１２は、予測要求と共に受信した車両ＩＤに基づき、偏差値データベースから偏差値平均を求める（ステップＳ４１０）。図１２は、偏差値平均を求める処理の説明図である。図１２に示すように、車両Ａ００１が各リンクを走行した際のエネルギー消費量について、それぞれ偏差値を求め、所定数Ｎａの偏差値を車両ＩＤと対応付けて偏差値データベースに登録しておく。演算処理部１２は、ステップＳ４１０で偏差値データベースから、車両ＩＤ：Ａ００１と対応する偏差値を読み出し、図１２の式２のように積算して所定数Ｎａで除して偏差値平均Ｔａを求める。
【００９３】
次に演算処理部１２は、ユーザ端末２から受信した目的地までの各リンクついて、エネルギー消費量データベースに蓄積されたエネルギー消費量の分布から、当該車両の偏差値平均Ｔａに応じた予測エネルギー消費量Ｘｐを求める（ステップＳ４２０）。例えば、式３に示すように、偏差値平均Ｔａから５０を減じ、標準偏差σｘを乗じて１０で除し、算術平均μｘを加えて当該リンクの予測エネルギー消費量ｘｐを求める。
【数２】
2013213692.tif 000004
演算処理部１２は、ステップＳ４２０で求めた各リンクのエネルギー消費量ｘｐを積算し、目的地までの予測エネルギー消費量を算出し（ステップＳ４３０）、ユーザ端末２へ送信する（ステップＳ４４０）。ユーザ端末２の制御部１０１は、受信した目的地までの予測エネルギー消費量を表示部１１３に表示させる。
【００９４】
図１３は、目的地までの予想エネルギー消費量の表示例を示す図である。図１３に示すように、ユーザ端末２の制御部１０１は、表示部１１３の表示画面中に、マップ欄３１とメッセージ欄３２を表示させ、マップ欄３１に自車位置３３から目的地３４までのルート３５を表示させると共に、メッセージ欄３２に「予測燃料消費量は○○Ｌです。」のように、予測エネルギー消費量３６を表示させる。
【００９５】
以上のように、本実施形態によれば、エネルギー消費量の偏差値を車両毎に求めることにより、当該車両が目的地まで走行する際のエネルギー消費量を全車種共通のエネルギー消費量データベースから予測することができる。このため、発売したばかりの車種や、生産台数の少ない車種であっても精度良くエネルギー消費量の予測を行うことができる。
【００９６】
図１４は車種の異なる車両のエネルギー消費量を共通のエネルギー消費量データベースから求める処理の説明図である。
【００９７】
図１４において、車両Ａ００１と車両Ｂ１２３とは、車種が異なり、エンジンや車体の構成が異なるため、燃費も異なっている。従って車両Ａ００１と車両Ｂ１２３とでは、同じリンクを走行してもエネルギー消費量は異なる。各リンクを走行した際のエネルギー消費量から求めた車両Ａ００１の偏差値平均は５４、車両Ｂ１２３の偏差値平均は４３である。
【００９８】
図１４において、グラフ４１はリンク１を走行した車両のエネルギー消費量の分布を示し、グラフ４２はリンク２を走行した車両のエネルギー消費量の分布を示す。
【００９９】
リンク１のエネルギー消費量の分布から前述の式３に従って各車両の予測エネルギー消費量ｘｐを求めると、グラフ４１に示すように車両Ａ００１の偏差値平均５４と対応する予測エネルギー消費量ｘｐが３．３、車両Ｂ１２３の偏差値平均４３と対応する予測エネルギー消費量ｘｐが２．１とそれぞれ求めることができる。
【０１００】
同様に、リンク２のエネルギー消費量の分布から前述の式３に従って各車両の予測エネルギー消費量ｘｐを求めると、グラフ４２に示すように車両Ａ００１の偏差値平均５４と対応する予測エネルギー消費量ｘｐが２．７、車両Ｂ１２３の偏差値平均４３と対応する予測エネルギー消費量ｘｐが１．６とそれぞれ求めることができる。
【０１０１】
そして、車両Ａ００１について求めた３．３、２．７等の予測エネルギー消費量ｘｐを積算して目的地までの予測エネルギー消費量を求める。また、車両Ｂ１２３について求めた２．１、１６等の予測エネルギー消費量ｘｐを積算して目的地までの予測エネルギー消費量を求める。
【０１０２】
このように、車両毎の偏差値を用いることにより、全車種共通のエネルギー消費量データベースから各車両の予測エネルギー消費量を求めることができる。
【０１０３】
また、本実施形態では、各車両が実際に走行した結果から偏差値を求めており、この偏差値にタイヤの状態やエンジンの経年劣化といった数値化し難い要素も反映されるので、精度良くエネルギー消費量を予測できる。
【０１０４】
なお、本実施形態では、エネルギー消費量として、エンジンへ供給する燃料の消費量の例を示したが、この燃料消費量に限らず、ハイブリッド車や電気自動車における電気使用量であっても良い。
【０１０５】
例えば、ハイブリッド車においてユーザ端末２は、モータへ供給する電力量を検出し、この電力量を発電するのに必要な燃料使用量を求めて、この電力量を燃料使用量に換算する。ハイブリッド車のユーザ端末２は、電力量から換算した燃料使用料をエンジンによる燃料使用量に加えてエネルギー消費量を求め、管理サーバ１に送信する。
【０１０６】
また、電気自動車においてユーザ端末２は、モータへ供給する電力量を検出し、各リンクを走行する際に使用する電力量を電力消費量、即ちエネルギー消費量として求める。管理サーバ１は、ユーザ端末２から受信した電気消費量をリンク毎にエネルギー消費量データベースに登録する。この場合、電気自動車のために電気消費量を記憶したエネルギー消費量データベースと、内燃機関を用いた自動車のために燃料消費量を記憶したエネルギー消費量データベースとを別個に作成しても良い。また、電気自動車の電気消費量を燃料消
費量に換算してエネルギー消費データベースに記憶させ、内燃機関を用いた自動車と電気自動車とで同じエネルギー消費データベースを利用する構成としても良い。また、燃料使用量を仕事率［Ｗ］に換算して電気量と同じエネルギー消費データベースに記憶する構成としても良い。
【０１０７】
更に、エネルギー消費量は、燃料消費量［Ｌ］に限らず、燃料消費率［ｋｍ／Ｌ］としても良い。例えば、ユーザ端末２は、リンクを走行する際の燃料消費量［Ｌ］を求め、リンク長を燃料消費量で除した燃料消費率［ｋｍ／Ｌ］を求めて、これをエネルギー消費量として管理サーバ１に送信する。管理サーバ１は、受信した燃料消費率をリンクＩＤと対応付けてエネルギー消費量データベースに記憶する。この場合、エネルギー消費量を予測する際、エネルギー消費量データベースから車両の偏差値に応じて燃料消費率が得られるので、この燃料消費率にリンク長を乗じて、燃料消費量を求める。
【０１０８】
〈変形例１〉
エネルギー消費量データベースは、エネルギー消費量を天候や時間帯等の所定条件と対応付けて記憶しても良い。エネルギー消費量を天候や時間帯と対応付けて記憶することにより、天候や時間帯毎にエネルギー消費量の分布を求めることができる。図１５は、各リンクにおいて、晴れ・雨・雪といった天候及び時間帯毎にエネルギー消費量の分布を求めるようにした例を示す。なお、本変形例１は、前述の実施形態１と比べて、エネルギー消費量を天候や時間帯と対応付けて記憶する構成が異なり、その他の構成は同じである。
【０１０９】
図１６は、ユーザ端末２から受信したエネルギー消費量を天候及び時間帯と対応付けて記憶する処理の説明図である。
【０１１０】
本変形例１において、管理サーバ１の演算処理部１２は、ユーザ端末２からエネルギー消費量を受信すると、図１６の処理を開始する（ステップＳ２００）。図１６の処理において、管理サーバ１の演算処理部１２は、先ず、天候及び時刻情報を取得する（ステップＳ２０５）。ここで、時刻情報は、ユーザ端末２から取得しても良いし、ユーザ端末２のタイマー（不図示）に設定された現在時刻を取得する。また、天候情報は、気象庁や民間の気象予報会社のウェブサイト等、外部のサーバから取得する。なお、エネルギー消費量は、天候及び時間帯に限らず、更に、曜日と対応付けて記憶されても良い。
【０１１１】
演算処理部１２は、受信したエネルギー消費量をリンクＩＤと、天候、時間帯と対応付けてエネルギー消費量データベースに蓄積させる（ステップＳ２１０）。
【０１１２】
次に演算処理部１２は、受信したエネルギー消費量の偏差値を求め（ステップＳ２２０）、算出した偏差値を前記車両ＩＤと対応付けて偏差値データベースに記憶させる（ステップＳ２３０）。
【０１１３】
また、図１７は、天候及び時間帯毎のエネルギー消費量の分布に基づいて予測エネルギー消費量を求める処理の説明図である。
【０１１４】
管理サーバ１の演算処理部１２は、ユーザ端末２から予測要求を受信すると、図１７に示す処理を開始する（ステップＳ４００）。
【０１１５】
演算処理部１２は、予測要求と共に受信した車両ＩＤに基づき、偏差値データベースから偏差値平均を求める（ステップＳ４１０）。
【０１１６】
次に演算処理部１２は、現在の天候及び時刻情報を取得する（ステップＳ４１５）。演算処理部１２は、ユーザ端末２から受信した目的地までの各リンクについて、ステップＳ
４１５で取得した天候及び時刻情報と対応するエネルギー消費量の分布をエネルギー消費量データベースから抽出し、このエネルギー消費量の分布から、当該車両の偏差値平均Ｔａに応じた予測エネルギー消費量Ｘｐを求める（ステップＳ４２０）。なお、エネルギー消費量の分布は、天候及び時刻情報と対応するものに限らず、更に曜日と対応するものであっても良い。
【０１１７】
演算処理部１２は、ステップＳ４２０で求めた各リンクのエネルギー消費量ｘｐを積算し、目的地までの予測エネルギー消費量を算出し（ステップＳ４３０）、ユーザ端末２へ送信する（ステップＳ４４０）。ユーザ端末２の制御部１０１は、受信した目的地までの予測エネルギー消費量を表示部１１３に表示させる。
【０１１８】
本変形例１では、交通量に影響する天候や時間帯、曜日に応じたエネルギー消費量の分布を用いることにより、精度良く予測エネルギー消費量を求めることができる。
【０１１９】
〈変形例２〉
偏差値データベースは、各車両の偏差値を道路情報と対応付けて記憶しても良い。図１８は、高速道又は一般道といった道路の種別や、平地、上り坂、下り坂といった道路の勾配等を含む道路情報と各車両の偏差値とを対応付けて記憶した例を示す図、図１９は道路の種別や、道路の勾配と対応する偏差値を用いて予測エネルギー消費量を求める処理の説明図、図２０は道路情報と共に予測要求を行う処理の説明図である。なお、本変形例２は、前述の実施形態１と比べて各車両の偏差値を道路情報と対応付けて記憶し、道路情報に応じて予測エネルギー消費量を求める構成が異なっており、その他の構成は同じである。
【０１２０】
電源スイッチをＯＮとする操作等により、ユーザ端末２への電力供給が開始されると、ユーザ端末２の制御部１０１は、図１９の処理を開始し、電源スイッチをＯＦＦとする操作等により、エンジンを停止させるまで図１９の処理を繰り返し実行する。図１９の処理を開始すると、制御部１０１は、ＥＣＵから燃料の供給量、即ちエネルギー消費量を取得する（ステップＳ１１０）。
【０１２１】
制御部１０１は、ナビゲーション部１０５により位置情報を求め、自車がリンクの起点又は終点となるノードに達したか否かを判定する(ステップＳ１２０)。制御部１０１は、ナビゲーション部１０５から取得した自車の位置情報を地図データのリンクの起点位置又は終点位置と比較して一致した場合に、自車がノードに達したと判定する（ステップＳ１２０，Ｙｅｓ）。一方、ナビゲーション部１０５から取得した自車の位置情報と、地図データのリンクの起点位置又は終点位置とが一致しなかった場合、制御部１０１は、自車がノードに達していない判定し（ステップＳ１２０，Ｎｏ）、図１９の処理を終了する。
【０１２２】
ノードに達したと判定した場合、制御部１０１は、当該ノードを終点とし、一つ前に通過したノードを起点とするリンクのリンクＩＤを地図データから抽出する（ステップＳ１３０）。また、制御部１０１は、当該リンクの道路情報、例えば高速道路か一般道路かを示す道路種別、平地、上り坂又は下り坂といった勾配等の情報を地図データから抽出する（ステップＳ１３５）。また、当該リンクの起点となるノードに達したと判定してから、当該リンクの終点となるノードに達したと判定するまでに取得したエネルギー消費量を積算して当該リンクを走行した際のエネルギー消費量を算出する（ステップＳ１４０）。
【０１２３】
そして、制御部１０１は、自車の車両ＩＤと、ステップＳ１３０で取得したリンクＩＤと、ステップＳ１３５で抽出した道路種別と、ステップＳ１４０で算出したエネルギー消費量とを対応付けて管理サーバ１に送信する（ステップＳ１５０）。
【０１２４】
一方、ユーザ端末２からエネルギー消費量を受信した管理サーバ１は、図９の処理を開
始する（ステップＳ２００）。図９の処理において、管理サーバ１の演算処理部１２は、先ず受信したエネルギー消費量をリンクＩＤと対応付けてエネルギー消費量データベースに蓄積させる（ステップＳ２１０）。
【０１２５】
次に演算処理部１２は、受信したエネルギー消費量の偏差値を求める（ステップＳ２２０）。
【０１２６】
演算処理部１２は、算出した偏差値を前記車両ＩＤ、道路種別及び勾配と対応付けて偏差値データベースに記憶させる（ステップＳ２３０）。
【０１２７】
ユーザがメニューの選択等により予測処理を指示すると、ユーザ端末２の制御部１０１は、図２０の処理を開始する。
【０１２８】
先ず、ユーザによる操作部１１４の操作等により、制御部１０１は、目的地の入力を受ける（ステップＳ３１０）。
【０１２９】
制御部１０１は、入力された目的地をナビゲーション部１０５へ送り、自車位置から目的地までのルート検索を行わせ、目的地までのルート即ち自車位置から目的地までのリンクの組み合わせを取得する（ステップＳ３２０）。
【０１３０】
制御部１０１は、ステップＳ３２０で取得した各リンクの道路の種別及び勾配等の道路情報を地図データから求める（ステップＳ３２５）。
【０１３１】
制御部１０１は、ステップＳ３２０で取得したルートを構成するリンクの情報と、道路情報と、車両ＩＤと、エネルギー消費量の予測を要求する情報（以下予測要求とも称す）とを管理サーバ１に送信する（ステップＳ３３０）。
【０１３２】
管理サーバ１の演算処理部１２は、ユーザ端末２から予測要求を受信すると、図１１に示す処理を開始する（ステップＳ４００）。
【０１３３】
演算処理部１２は、予測要求と共に受信した車両ＩＤ及び道路情報と対応する偏差値を偏差値データベースから読み出し、偏差値平均を求める（ステップＳ４１０）。
【０１３４】
次に演算処理部１２は、ユーザ端末２から受信した目的地までの各リンクついて、エネルギー消費量データベースに蓄積されたエネルギー消費量の分布から、当該車両の偏差値平均Ｔａに応じた予測エネルギー消費量Ｘｐを求める（ステップＳ４２０）。
【０１３５】
演算処理部１２は、ステップＳ４２０で求めた各リンクのエネルギー消費量ｘｐを積算し、目的地までの予測エネルギー消費量を算出し（ステップＳ４３０）、ユーザ端末２へ送信する（ステップＳ４４０）。ユーザ端末２の制御部１０１は、受信した目的地までの予測エネルギー消費量を表示部１１３に表示させる。
【０１３６】
このように本変形例２では、走行するリンクが高速道か一般道か、平地、登り坂又は下り坂といった勾配等の道路情報に応じた偏差値を用いてエネルギー消費量を予測する。これにより、例えば軽自動車のように、一般道や平地の燃費は良いが、高速道や登り坂の燃費は悪いというように、道路の状況によってエネルギー消費量の偏差値が異なる場合にも、この偏差値の違いを反映させてエネルギー消費量の予測を行うことができる。
【０１３７】
〈変形例３〉
偏差値データベースの偏差値は、車両毎ではなく、ユーザ毎に管理しても良い。図２１
は、車両ＩＤ及びユーザＩＤと、偏差値とを対応付けて記憶した例を示す。なお、本変形例２は、前述の実施形態１と比べて偏差値データベースの偏差値を車両ＩＤ及びユーザＩＤと対応付けて記憶した構成が異なっており、その他の構成は同じである。
【０１３８】
ユーザ端末２が図８の処理を開始した場合、ユーザは操作部１１４の操作によりユーザ端末２へユーザＩＤを入力する。ユーザＩＤの入力を受けたユーザ端末２は、エネルギー消費量を算出し、ステップＳ１５０でエネルギー消費量と共にユーザＩＤを管理サーバ１へ送信する。
【０１３９】
エネルギー消費量を受信した管理サーバ１は、図９の処理を実行し、ステップＳ２２０で算出した偏差値を図２１に示すように車両ＩＤ及びユーザＩＤと対応付けて偏差値データベースに登録する（ステップＳ２３０）。
【０１４０】
そして、ユーザ端末２は、図１０の処理を実行し、ステップＳ３３０で予測要求を管理サーバ１へ送信する場合に、当該予測要求と共に前記ユーザＩＤを送信する。
【０１４１】
予測要求を受信した管理サーバ１は、図１１の処理を実行し、図２１に示す偏差値データベースから前記車両ＩＤ及びユーザＩＤと対応する偏差値を読み出し、偏差値平均を求める（ステップＳ４１０）。管理サーバ１は、当該偏差値平均を用いて各リンクのエネルギー消費量を求め（ステップＳ４２０）、積算して目的地までの予測エネルギー消費量を求める（ステップＳ４３０）。
【０１４２】
このように、本変形例３によれば、ユーザ毎に偏差値を管理できるので、各ユーザの運転の癖を偏差値に反映させることができ、精度良くエネルギー消費量を求めることができる。
【０１４３】
〈変形例４〉
図３に示すエネルギー消費量データベースは、各車両から受信したエネルギー消費量を生データのまま蓄積した例を示したが、これに限らず、エネルギー消費量の分布を関数で示す構成としても良い。例えば、リンクＩＤと対応するエネルギー消費量が充分なサンプル数に達した場合、エネルギー消費量が正規分布で近似でき、平均μｘと標準偏差σｘとで示すことができる。即ち、図２２に示すように、リンクＩＤ毎に平均μｘと標準偏差σｘとを対応付けた構成としても良い。
【０１４４】
管理サーバ１は、図２２のエネルギー消費量データベースを保持し、図９のステップＳ２２０では、リンクＩＤと対応する平均μｘと標準偏差σｘを読み出し、前述の式１に従って偏差値を求める。
【０１４５】
また、管理サーバ１は、図１１のステップＳ４２０では、リンクＩＤと対応する平均μｘと標準偏差σｘを読み出し、前述の式３に従って予測エネルギー消費量を求める。
【０１４６】
このようにエネルギー消費量データベースで平均μｘと標準偏差σｘとを保持することで、偏差値や予測エネルギー消費量を求める度に平均μｘや標準偏差σｘを求める必要がなく、処理が軽減される。
【０１４７】
また、図２２のエネルギー消費量データベースは、リンクＩＤと対応するデータが平均μｘと標準偏差σｘのみなので、図３のエネルギー消費量データベースと比べて格段にデータ量が少ない。
【０１４８】
このため、ユーザ端末２の地図データのリンクＩＤと対応付けて平均μｘと標準偏差σ
ｘを保持することもできる。ユーザ端末２がエネルギー消費量データベースを保持することで、偏差値や予測エネルギー消費量をローカルに算出することもできる。
【０１４９】
〈変形例５〉
本変形例５では、管理サーバ１の演算処理部１２が出力制御部１２７の機能により、エネルギー消費量の状況を示す情報をユーザ端末２に送信して表示させる構成とした。なお、この他の構成は、前述の実施形態１と同じである。図２３は、エネルギー消費量の状況を表示する処理の説明図、図２４は、エネルギー消費量の状況の表示例を示す図である。
【０１５０】
ユーザ端末２が、図８の処理を実行し、エネルギー消費量を送信すると、本変形例５の管理サーバ１の演算処理部１２は、このエネルギー消費量を受信して図２３の処理を開始する（ステップＳ２００）。
【０１５１】
演算処理部１２は、先ず受信したエネルギー消費量をリンクＩＤと対応付けてエネルギー消費量データベースに蓄積させる（ステップＳ２１０）。
【０１５２】
次に演算処理部１２は、受信したエネルギー消費量の偏差値を求め（ステップＳ２２０）、前記車両ＩＤと対応付けて偏差値データベースに記憶させる（ステップＳ２３０）。
【０１５３】
また、演算処理部１２は、前記車両ＩＤと対応する偏差値を偏差値データベースから読み出して偏差値平均を求め（ステップＳ２４０）、ステップＳ２２０で求めた偏差値と比較して、比較結果をユーザ端末２へ送信する（ステップＳ２５０）。例えば、ステップＳ２２０で求めた偏差値が偏差値平均を所定割合（１０％等）以上超過していれば”０”、所定割合以上超過していなければ”１”のように比較結果を送信する。
【０１５４】
比較結果を受信したユーザ端末２は、この比較結果が”１”であれば図２４（ａ）のように表示部１１３にエコマーク３７を表示させ、この比較結果が”０”であれば図２４（ｂ）のように表示部１１３のエコマーク３７を非表示とする。
【０１５５】
〈実施形態２〉
前述の実施形態１では、特定のルートのエネルギー消費量を予測したが、本実施形態２では、制御部１０１がエネルギー消費量の最も少なくなるルート、所謂エコルートを探索するルート探索部として機能する構成とした。なお、この他の構成は、実施形態１と同じである。図２５は、エコルートの探索を要求する処理の説明図、図２６は、各リンクの予測エネルギー消費量に基づいてエコルートを探索する処理の説明図である。
【０１５６】
ユーザがメニューの選択等によりエコルート探索を指示すると、ユーザ端末２の制御部１０１は、図２５の処理を開始する。
【０１５７】
先ず、ユーザによる操作部１１４の操作等により、制御部１０１は、目的地の入力を受ける（ステップＳ５１０）。
【０１５８】
制御部１０１は、ナビゲーション部１０５により自車位置を取得し（ステップＳ５２０）、この自車位置（出発地）と前記目的地と車両ＩＤと共に、エコルート探索を要求する情報を管理サーバ１に送信する（ステップＳ５３０）。
【０１５９】
管理サーバ１の演算処理部１２は、ユーザ端末２からエコルート探索の要求を受信すると、図２６に示す処理を開始する（ステップＳ６１０）。
【０１６０】
演算処理部１２は、エコルート探索の要求と共に受信した車両ＩＤと対応する偏差値を
偏差値データベースから抽出し、偏差値平均を求める（ステップＳ６２０）。
【０１６１】
本実施形態の管理サーバ１は、図７と同様の地図データを有し、演算処理部１２は、前記出発地から目的地までのリンクの組み合わせのうち、走行距離が短いものや到着時間が早いものを候補ルートとして複数索出する（ステップＳ６３０）。
【０１６２】
次に演算処理部１２は、各候補ルートを構成するリンクついて、エネルギー消費量データベースに蓄積されたエネルギー消費量の分布から、当該車両の偏差値平均Ｔａに応じた予測エネルギー消費量Ｘｐを求め、積算して各候補ルートのエネルギー消費量を予測する（ステップＳ６４０）。
【０１６３】
複数の候補ルートのうち、最もエネルギー消費量が少ないルートをエコルートとして決定し（ステップＳ６５０）、ユーザ端末に送信する（ステップＳ６６０）。
【０１６４】
このように本実施形態によれば、目的地までに必要なエネルギー消費量が最も少ないエコルートを適切に求めることができる。
【０１６５】
〈実施形態３〉
前述の実施形態１では、管理サーバ１がエネルギー消費量データベースを有し、偏差値の算出やエネルギー消費量の予測を行ったが、この構成に限定されるものではない。実施形態３では、ユーザ端末２がエネルギー消費量データベースを有し、ローカルに偏差値の算出やエネルギー消費量の予測を行う。図２７は、ユーザ端末２がローカルに偏差値を算出する処理の説明図、図２８は、ユーザ端末２がローカルに予測エネルギー消費量を求める処理の説明図である。
【０１６６】
前述したように、図３に示すエネルギー消費量データベースのエネルギー消費量が充分なサンプル数に達した場合、エネルギー消費量を正規分布で近似し、平均μｘと標準偏差σｘとで示すことができる。即ち、図２２に示すように、リンクＩＤ毎に平均μｘと標準偏差σｘとを対応付けた構成としても良い。
【０１６７】
そこで、ユーザ端末２の地図データのリンクＩＤと対応付けて平均μｘと標準偏差σｘを記憶させ、地図データをエネルギー消費量データベースとしても用いる。また、メモリ１１５に偏差値データベースを格納する。
【０１６８】
電源スイッチをＯＮとする操作等により、ユーザ端末２への電力供給が開始されると、ユーザ端末２の制御部１０１は、図２７の処理を開始し、電源スイッチをＯＦＦとする操作等により、エンジンを停止させるまで図２７の処理を繰り返し実行する。図２７の処理を開始すると、制御部１０１は、ＥＣＵから燃料の供給量、即ちエネルギー消費量を取得する（ステップＳ７１０）。
【０１６９】
制御部１０１は、ナビゲーション部１０５により位置情報を求め、自車がリンクの起点又は終点となるノードに達したか否かを判定する(ステップＳ７２０)。制御部１０１は、ナビゲーション部１０５から取得した自車の位置情報を地図データのリンクの起点位置又は終点位置と比較して一致した場合、例えば起点又は終点の位置情報と自車の位置情報との差が所定範囲内となった場合に、自車がノードに達したと判定する（ステップＳ７２０，Ｙｅｓ）。一方、ナビゲーション部１０５から取得した自車の位置情報と、地図データのリンクの起点位置又は終点位置とが一致しなかった場合、制御部１０１は、自車がノードに達していないと判定し（ステップＳ７２０，Ｎｏ）、図２７の処理を終了する。
【０１７０】
ノードに達したと判定した場合、制御部１０１は、当該ノードを終点とし、一つ前に通
過したノードを起点とするリンク、即ち当該ノードまで自車が走行したリンクのリンクＩＤを地図データから抽出する（ステップＳ７３０）。また、制御部１０１は、当該リンクの起点となるノードに達したと判定してから、当該リンクの終点となるノードに達したと判定するまでに取得したエネルギー消費量を積算して当該リンクを走行した際のエネルギー消費量を算出する（ステップＳ７４０）。
【０１７１】
次に制御部１０１は、エネルギー消費量の偏差値を求める（ステップＳ７５０）。
【０１７２】
制御部１０１は、算出した偏差値を偏差値データベースに記憶させる（ステップＳ７６０）。
【０１７３】
ユーザがメニューの選択等により予測処理を指示すると、ユーザ端末２の制御部１０１は、図２８の処理を開始する。
【０１７４】
先ず、ユーザによる操作部１１４の操作等により、制御部１０１は、目的地の入力を受ける（ステップＳ８１０）。
【０１７５】
制御部１０１は、入力された目的地をナビゲーション部１０５へ送り、自車位置から目的地までのルート検索を行わせ、目的地までのルート即ち自車位置から目的地までのリンクの組み合わせを取得する（ステップＳ８２０）。複数の候補ルートがある場合、高速道路の使用の有無や渋滞の回避、経由地の指定など、ユーザの操作によりルートを選択しても良い。
【０１７６】
制御部１０１は、偏差値データベースから偏差値平均を求める（ステップＳ８３０）。
【０１７７】
次に制御部１０１は、ユーザ端末２から受信した目的地までの各リンクついて、エネルギー消費量データベースに蓄積されたエネルギー消費量の分布から、当該車両の偏差値平均Ｔａに応じた予測エネルギー消費量Ｘｐを求める（ステップＳ８４０）。
【０１７８】
制御部１０１は、ステップＳ８４０で求めた各リンクのエネルギー消費量ｘｐを積算し、目的地までの予測エネルギー消費量を算出する（ステップＳ８５０）。
【０１７９】
このように本実施形態によれば、ユーザ端末２において、ローカルにエネルギー消費量を予測できる。
【符号の説明】
【０１８０】
１  管理サーバ
２  ユーザ端末
１０  エネルギー消費量管理システム
１２  演算処理部
１３  記憶部
１４  入出力インタフェイス
３１  マップ欄
３２  メッセージ欄
３３  自車位置
３４  目的地
３５  ルート
３６  予測エネルギー消費量
３７  エコマーク
１０１  制御部
１０２  放送受信部
１０３  ディスク再生部
１０４  再生部
１０５  ナビゲーション部
１０６  情報受信部
１０７  情報受信部
１０８  分配回路
１０９  画像調整回路
１０９  画像調整部
１１０  音声調整回路
１１１  スピーカ
１１２  画像出力部
１１３  表示部
１１４  操作部
１１５  メモリ
１１６  遠隔操作部
１１７  通信部
【図１】
2013213692.tif 000005
【図２】
2013213692.tif 000006
【図３】
2013213692.tif 000007
【図４】
2013213692.tif 000008
【図５】
2013213692.tif 000009
【図６】
2013213692.tif 000010
【図７】
2013213692.tif 000011
【図８】
2013213692.tif 000012
【図９】
2013213692.tif 000013
【図１０】
2013213692.tif 000014
【図１１】
2013213692.tif 000015
【図１２】
2013213692.tif 000016
【図１３】
2013213692.tif 000017
【図１４】
2013213692.tif 000018
【図１５】
2013213692.tif 000019
【図１６】
2013213692.tif 000020
【図１７】
2013213692.tif 000021
【図１８】
2013213692.tif 000022
【図１９】
2013213692.tif 000023
【図２０】
2013213692.tif 000024
【図２１】
2013213692.tif 000025
【図２２】
2013213692.tif 000026
【図２３】
2013213692.tif 000027
【図２４】
2013213692.tif 000028
【図２５】
2013213692.tif 000029
【図２６】
2013213692.tif 000030
【図２７】
2013213692.tif 000031
【図２８】
2013213692.tif 000032